(57)【特許請求の範囲】
【請求項１】
駆動源により前後方向に摺動するスライダーと、スライダーの摺動により上下方向に回動されて前扉を開閉する扉開閉部材と、スライダーにより上下方向に回動されて扉開閉部材の回動を規制するストッパーと、を備える遊技機の可変入賞装置であって、
扉開閉部材には、遊技機後方向きのロック面を有するロック爪を設けるとともに、
ストッパーには、先端が前記ロック面に当接して扉開閉部材の上方回動を規制する前向きのロック片を設けて、このストッパーを扉開閉部材の後方に配置したことを特徴とする遊技機の可変入賞装置。
【請求項２】
前記ロック片の厚さを、ロック爪の厚さ以下として、ロック片の先端面をロック面よりも小さくした請求項1に記載の遊技機の可変入賞装置。
【請求項３】
スライダーの上部には、ストッパーを上方に回動させるための突部を設け、
ストッパーの下部には、前記突部が摺動してロック片先端をロック面から上方に離脱させるための係合斜面を設けて、前記スライダーをストッパーの下方に配置した請求項１又は２に記載の遊技機の可変入賞装置。
【発明の詳細な説明】
【技術分野】
【０００１】
本発明は、パチンコ遊技機において可変入賞装置の前扉を外部操作によって無理やり開き、この開放状態の入賞口に球を入賞させて賞球を獲得する不正行為を防止するための、遊技機の可変入賞装置に関するものである。
【背景技術】
【０００２】
パチンコ遊技機として、特定の入賞口に可変入賞装置を備えたものがある。可変入賞装置は、通常はソレノイドなどの駆動装置を非通電として前扉を閉鎖状態に維持して球が入賞しないようにし、一方特定の遊技状態になったときには駆動装置を作動させて前扉を開放状態として球が入賞口に入りやすくなるようにする。
【０００３】
しかしながら、駆動装置が作動していないときに、外部から針金などの道具を侵入させ前扉に引っ掛けて無理やり開放させて不正に賞球を獲得する不正行為が働かれることがあり、このような不正行為が働かれるとホール側は多大な損害を被ることとなる。
【０００４】
このような不正行為を防止した遊技機の可変入賞装置として、例えば特許文献１、２に開示されたものがある。特許文献１に開示されたものは、回転軸に前扉（入賞案内部材）を回動自在に支持し、制動片の上下動によって前扉を起立傾倒させるようにしたものであって、制動片に設けられた突起部と入賞案内部材に設けられた係合部との係合によって、起立状態にある前扉が不正な外力によって傾倒状態になることを防止することができる。
【０００５】
しかしながら上記したものにおいては、突起部が遊技機前方すなわち遊技者に向けて突出しているのに加え、係合部が前扉に設けられているために、前扉の側方から細い針金などを侵入させて制動片を引き上げることが可能であり、これによってロックが解除されてしまい、前扉が不正に開放されてしまうという問題がある。
【０００６】
特許文献２に開示されたものは、前扉（入賞扉）を閉鎖位置から開放位置へ回動変位させようとする外力が前扉に加えられたとき、揺動アームにおける切欠部の第一当接面が、ヘッドカバーにおける係合ピンに対して下側から当接している。これによって、揺動アームの反時計回りの回転が阻止され、前扉は閉鎖位置に維持されるようにしたものである。
【０００７】
しかしながら上記したものにおいても、係合ピンと第１当接面との係合部が遊技者に向けて設けられているため、前扉の側方から細い針金などを侵入させてヘッドカバーを後方に押圧することが可能であって、これによってロックが解除されてしまい、前扉を不正に開放することが可能である。
【０００８】
以上のように、従来の可変入賞装置は、不正を防止するという観点から必ずしもこれを確実に防止できるものではなかった。
【先行技術文献】
【特許文献】
【０００９】
【特許文献１】特開２００１−２３９０１４号公報
【特許文献２】特開２００９−１７８４４９号公報
【発明の概要】
【発明が解決しようとする課題】
【００１０】
本発明の目的とするところは、針金などの道具を用いた前扉の不正開放を確実に防止することができる遊技機の可変入賞装置を提供することにある。
【課題を解決するための手段】
【００１１】
上記の課題を解決するためになされた本発明に係る遊技機の可変入賞装置は、駆動源により前後方向に摺動するスライダーと、スライダーの摺動により上下方向に回動されて前扉を開閉する扉開閉部材と、スライダーにより上下方向に回動されて扉開閉部材の回動を規制するストッパーと、を備える遊技機の可変入賞装置であって、
扉開閉部材には、遊技機後方向きのロック面を有するロック爪を設けるとともに、
ストッパーには、先端が前記ロック面に当接して扉開閉部材の上方回動を規制する前向きのロック片を設けて、このストッパーを扉開閉部材の後方に配置したことを特徴とするものである。
【００１２】
上記した発明において、前記ロック片の厚さを、ロック爪の厚さ以下として、ロック片の先端面をロック面よりも小さくするのが望ましい。
【００１３】
また、スライダーの上部には、ストッパーを上方に回動させるための突部を設け、ストッパーの下部には、前記突部が摺動してロック片先端をロック面から上方に離脱させるための係合斜面を設けて、前記スライダーをストッパーの下方に配置することができる。
【発明の効果】
【００１５】
本発明の遊技機の可変入賞装置は、前扉起立状態では、扉開閉部材のロック面にストッパーのロック片が当接されてロックされているので、遊技機前方から針金などの工具を差し込んで扉開閉部材を回動しようとしても回動させることはできない。また、ストッパーを扉開閉部材の後方に配置したので、工具によりストッパーを上方に跳ね上げようとしても、途中の扉開閉部材が工具の侵入を邪魔するので、ストッパーを跳ね上げることはできない。よって、前扉の不正開放を確実に防止することができる。
【図面の簡単な説明】
【００１６】
【図１】大入賞装置の斜視図である。
【図２】前扉が閉鎖状態にある可変入賞装置の右側面側の斜視図である。
【図３】図２の可変入賞装置の右側面図である。
【図４】可変入賞装置の分解斜視図である。
【図５】可変入賞装置の左側面側の斜視図である。
【図６】前扉を閉鎖状態に維持する可変入賞装置の右側面図である。
【図７】スライダーの前方摺動によりストッパーを上方回動する可変入賞装置の右側面図である。
【図８】前扉が開放状態にある可変入賞装置の右側面図である。
【図９】前扉が開放状態にある可変入賞装置の斜視図である。
【発明を実施するための形態】
【００１７】
以下に、本発明の実施形態に付いて説明する。
【００１８】
図１は、本発明の可変入賞装置が用いられる大入賞装置を示す図であって、入賞口１が前扉６によって開閉される。可変入賞装置はこの内部に配設されている。
【００１９】
図２、３は、本発明の可変入賞装置を示す図であって、この状態においては前扉６が起立されており、入賞口１は閉鎖状態にある。図において、２は駆動装置であるソレノイド、３はスライダー、４は扉開閉部材、５はストッパーである。スライダー３は、ストッパー５の下方で扉開閉部材４の後方に配置されている。なお、図２、３において、左方が遊技機前方側、右方が遊技機後方側である。
【００２０】
ソレノイド２はプランジャ２１を有し、このプランジャ２１は、ソレノイド２が非通電のときは図示していない復帰ばねによって後方側に付勢されているためソレノイドコイルから突出して遊技機の後方側に移動しているが、通電により吸引、後退されて遊技機の前方側に移動する。プランジャ２１には、スライダー取付部３３がはめ込まれてスライダー３が装着されているので、プランジャ２１の移動とともにスライダー３も前後方向に摺動する。
【００２１】
スライダー３はスライダー取付部３３とスライダー取付部３３の一端から垂設された略長方形状のスライダー部３４とで構成された上面から見てＬ字状であって、スライダー部３４の上部の前方側に扉開閉部材４と係合する凹部３１と、後方側にストッパー５を上方に回動させる突部３２と、スライダー取付部３３が垂設されている反対側の面に、一定の間隔を空けて併設された摺動方向に平行な一対の案内壁３５とが形成されている。凹部３１は、上向きコの字形状であって摺動方向に対して垂設された前側壁面３１ａと後側側面３１ｂを有し、突部３２は、矩形であって摺動方向に対して垂設された後側面３２ｂを有する。
【００２２】
扉開閉部材４は、板形状であって、支軸４１を中心に上下方向に回動するが、支軸４１方向に突設し前記凹部３１と係合して扉開閉部材４を上下回動させる突起４２と、支軸４１から外周に向かって突設したロック爪４３と、ロック爪４３とは支軸４１を挟んで反対方向に所要間隔をおいて突設した上側レバー４４と下側レバー４５とを有する。ロック爪４３には、遊技機後方向きの段差であるロック面４３ａが設けられている。
【００２３】
ストッパー５は、扉開閉部材4の厚さ以下の板形状であって、支軸５１を中心に上下方向に回動するが、支軸５１から外周に向かって突設前記ロック面４３ａに当接して扉開閉部材３の上方回動を規制するロック片５２と、スライダー３の突部３２を摺動させてロック片５２を上方に回動させて扉開閉部材４の回動ロックを解除するための支軸５１と平行な係合斜面５３と、係合斜面５３と対向し後側面３２ｂと係合する係合面５４ａを備えた係合突起５４とを有している。ロック片５２の先端面は、ロック面４３ａよりも小さく形成されている。
【００２４】
前扉６は、支軸６１を中心に上下方向に回動するが、入賞口１を開閉する扉本体６２と、扉本体６２の側方に延出して設けられた作用ピン６３を有する。この作用ピン６３は上下のレバー４４、４５の間に臨んでおり、扉開閉部材４の回動により前扉６は開閉される。
【００２５】
図４は、可変入賞装置の分解斜視図であって、７は、ソレノイド2を固定するための取付部材であり、８は、扉開閉部材４、ストッパー５を回動可能に軸着するための軸８１,８２を備えた取付部材である。取付部材８の軸８１、８２が突設された面には、一対の案内壁３５の間に挿入され、スライダー３の摺動を確実なものとするガイド壁８３が設けられている。また、図５は、可変入賞装置の左側面側の斜視図であって、スライダー取付部３３の溝にプランジャ２１がはめ込まれた状態を示す。取付部材７、８は、扉開閉部材4の厚さよりも僅かに大きい隙間を設けて固定されており、その隙間に扉開閉部材4及びストッパー５が軸８１、８２に軸着されている。
【００２６】
図３の起立状態にある前扉６の上端を引っ張って不正に開放しようとすると、前扉６には支軸６１を中心として反時計回りの力が働く。このとき、作用ピン６３が上側レバー４４に当接して、扉開閉部材4には支軸４１を中心として時計回りの力が働く。しかし、ロック面４３aがロック片５２の先端に当接しているために、扉開閉部材４の時計回りへの回動は規制されるので、前扉６を開放することはできない（図６）。
【００２７】
図３の状態において、ストッパー５は扉開閉部材4の後方に配置されロック片５２の先端面は、ロック面４３ａよりも小さく、さらに、ストッパー５の厚さが扉開閉部材4の厚さ以下であるため、ロック片５２はロック爪４３の陰に隠れて前側から直接ストッパー5に触れることはできない。よって、前側から針金などを差し込んでもロック爪４３や扉開閉部材４が邪魔することによりストッパー５を跳ね上げることはできない。また、スライダー３は、復帰ばねにより既に後方に移動し、後側面３２ｂと係合面５４ａが当接しているので、この状態ではスライダー３を後方に押圧すると、ストッパー５には支軸５１を中心として反時計回りの力が働くが、ロック片５２が扉開閉部材4に当接し、反時計回りへの回動が規制されるため、スライダー３は移動することはできない。
【００２８】
ロックを解除して前扉６を傾倒するときには、ソレノイド２に通電して、プランジャ２１を吸引して前方に移動する。これによってスライダー３も前方に摺動されるので、突部３２が係合斜面５３の下側を摺動してストッパー５を上方に回動する（図７）。ロック面４３ａからロック片５２の先端が引き上げられるので、ロックが解除されて扉開閉部材４は上方に回動可能となる。
【００２９】
その後、プランジャ２１の前方移動により凹部３１の後方壁面３１ｂが扉開閉部材４の突起４２に当接し、扉開閉部材4には時計回りの力が働く。このときは既に、ロックが解除されて扉開閉部材4は上方に回動可能となっているので、下側レバー４５が前扉６の作用ピン６３を蹴り上げる。これによって、前扉本体６２が自重により前傾されて、作用ピン６３が上側レバー４４に衝突するまで前扉６は開放される（図８、９）。なお、この状態では、作用ピン６３が上側レバー４４と下側レバー４５との間で自由に動くことができる分だけ前扉6も開閉可能であるが、これは前扉６と遊技機前面のガラス板との間で球噛みさせないためである。
【００３０】
所定時間が経過して前扉６を閉鎖するときには、ソレノイド２の通電を遮断して復帰ばねによりプランジャ２１を突出させて後方に移動させる。これによって凹部３１の前方壁面３１ａが突起４２に衝突するので、扉開閉部材４が下方に回動されて、上側レバー４４が前扉６の作用ピン６３を押し下げる（図３）。これによって、前扉６は閉鎖状態に起立される。また、突部３２による係合斜面５３の押し上げが解除され、後側面３２ｂと係合面５４ａが当接するので、ストッパー５は下方に回動されて、ロック面４３ａにロック片５２の先端が当接されることとなって、ロック状態に復帰する。
【００３１】
以上に説明したように、本発明の可変入賞装置は、ロック状態では後ろ向きのロック面４３ａにロック片５２の先端が当接されているので、遊技機前方から針金などの工具を差し込んでも、扉開閉部材４を回動することはできない。また、扉開閉部材４が工具の侵入を邪魔するので、ストッパー５を上方に跳ね上げることはできず、ロック面４３ａとロック片５２との係合を解除することはできない。よって、本発明の可変入賞装置は、前扉の不正な開放を確実に防止することができるという大きな利点を有する。
【符号の説明】
【００３２】
３  スライダー、４  扉開閉部材、５  ストッパー、６  前扉、４３  ロック爪、４３ａ  ロック面、５２  ロック片
【図１】
0005750614.tif 000002
【図２】
0005750614.tif 000003
【図３】
0005750614.tif 000004
【図４】
0005750614.tif 000005
【図５】
0005750614.tif 000006
【図６】
0005750614.tif 000007
【図７】
0005750614.tif 000008
【図８】
0005750614.tif 000009
【図９】
0005750614.tif 000010